(57)【要約】【課題】  本考案は、従来の釣り台では座り方によって課題であった釣り人の肉体的疲労を少なくするための構造とし、内部に各種道具類の収納も可能となる釣り台の提供を行うものである。【解決手段】  ボックスフレーム（ア）の上部に平面板（イ）を蓋状に連結した段差型腰掛構造とした。平面板は、腰掛けスペースに、そしてボックスフレームには防水ボックスを設置できる段差構造とし、靴を脱いで両足を投げ出せるリラックス釣行が実現できる。さらにこの防水ボックス内には釣り台の支脚、エサ・小物置テーブル、釣行に必要な各種道具類の収納を可能とした。【選択図】      図２
0003119251.tif 000002
【実用新案登録請求の範囲】
【請求項１】
ボックスフレームと平面板を有し、ボックスフレーム上部の一端に平面板を蓋状に折り畳めるように連結金具で接続し、ボックスフレーム内部にボックスを設置し、各種道具類が収納できるようにした蓋付きボックスフレーム式携帯用段差型腰掛釣り台。
【考案の詳細な説明】
【技術分野】
【０００１】
本考案は段差型腰掛構造によって釣行時に身体的負荷を少なくし、安全でかつ快適に長時間楽しく釣りができる蓋付きボックスフレーム式携帯用段差型腰掛釣り台に関するものである。また、ボックスフレーム内部に設置できるボックスには支脚、エサ・小物置きテーブル、竿ケース置き台フレームなど釣り台の付属品ならびに釣行時に必要な各種道具類などを同時に収納が可能で荷物の分散を避けられる。
【背景技術】
【０００２】
従来から用いられている釣り台は、縦長平面台に両足を跨いで足を地面に下ろして腰掛ける釣り台、平面台にあぐらに座る釣り台、両足を段差のある踏み台に揃えて腰掛けるイス型釣り台などが知られている。（特許文献１〜５）
【特許文献１】実開昭６０−７７６７号公報
【特許文献２】実開平２−３２６６号公報
【特許文献３】実登３０６４８１５号公報
【特許文献４】実登３０８７２３４号公報
【特許文献５】特開２００４−３２１１６１号公報
【考案の開示】
【考案が解決しようとする課題】
【０００３】
従来の平面釣り台は総合的に釣行者による好みの座型が選択できないばかりか、あぐらに座る釣り人の足、腰などに肉体的負荷による疲労が伴う部分で長時間釣行に耐えられない構造上の問題点があった。近年、釣り人の高齢化傾向や女性、若い釣行者があぐら座りなど慣れない釣行者が増えてきている中、腰や足関節にかなりの負荷がかかる釣行を強いられている。
【０００４】
一方従来のイス型や跨ぐタイプの釣り台は、台幅が十分でないことや釣行時の足の位置が限定されることなどから釣行時の魚とのやりとりや釣り全般の操作を安全にかつスムーズに行う場合、バランスにおいて不安定さが残る問題点がある。
【０００５】
釣行時の仕掛けやエサ・小物置きテーブル、クッションなど各種道具類を集約・収納できる携帯用釣り台は少なく、従来は諸道具類を分散化して携帯する必要を強いられていたため、携帯移動の問題点があった。
【課題を解決するための手段】
【０００６】
上記の問題点を解決するために、ボックスフレーム上部の一端に平面板を連結させた段差型腰掛構造とし、平面板は腰掛けスペースに、そしてボックスフレームには釣行時自由に両足を投げ出せる段差スペースを確保した。
【０００７】
蓋付きボックスフレーム式携帯用段差型腰掛釣り台は、ボックスフレーム内にボックスを収納できる構造とし、ボックスには釣行に必要な各種道具類の収納できる。
【０００８】
蓋付きボックスフレーム式携帯用段差型腰掛釣り台は、段差のある釣り台であり支脚の固定箇所が台の上部に取り付けてあるため重心が下方になり、前後左右への過度の身体的移動においても釣り台の安定が確保できる。
【考案の効果】
【０００９】
考案は、以上に説明した形態で使用が可能であり、以下に説明する効果が期待できる。
【００１０】
考案はボックスなどがボックスフレーム内部に設置できる段差型腰掛構造の釣り台とし、両足に上半身の加重をできるだけかけないばかりか靴をぬいでの長時間座りを実現可能とした。以上により釣行時の前傾姿勢や後傾姿勢を容易にする事が可能となり、釣行時の姿勢に不自然さや不安定さが解消され、疲労感を感じさせず釣行に集中することができる。
【００１１】
釣行は半日から一日と釣行時間が長時間に及ぶことが一般的であり、従来の釣り台によって釣行姿勢を固定させられる肉体的苦痛は計り知れなく、釣りに集中できないばかりか、せっかくの楽しい釣りを中断することになる。本考案は、こうした苦痛から逃れたい一身で生まれた段差型釣り台であり、釣人にとって効果が期待できる。
【００１２】
釣行者の傾向として近年、若年層や女性の方が増えており、日本の生活習慣も正座やあぐら座からイス型の腰掛け生活が一般的に普及している中、各年代層の男性・女性にとって段差型腰掛構造の釣り台は肉体的苦痛を和らげる効果は大いに期待できる。
【００１３】
考案は、エサ・小物置きテーブルや竿ケース置き台フレーム等を釣り台側面に設置できる構造とし、釣行時の仕掛け道具類のほかエサ入れやタオル等身近に備えおくことが出来るほか竿ケースなどを釣り台にセットできることから竿出し準備、関連操作において便利な釣り台となる。      
【考案を実施するための最良の形態】
【００１４】
考案は、図１のようにボックスフレーム上部の一端に平面板を蓋状に折り畳みが可能に連結金具で接続することにより実現する。図１(ア)のボックスフレームと図１(イ)の蓋状に閉じた平面板を図３のように開き、図４(エ)の螺子式連結金具で固定することにより、フレームボックスと平面板に加重がかかっても連結部が折り曲がらない構造としている。平面板（イ）に腰掛け、ボックスフレーム（ア）内にはボックスが配置できる構造にしており、両足を投げ出せる段差型構造とした。図４の釣り台を支える４本の支脚（キ）は、釣り台の４方角に設けた図４(カ)の支脚穴に挿入する。水平利用による釣り台の足の高さ調節は、従来から知られている技術で支脚に適度の穴を設けさらに釣り台本体にも螺子穴を設け、螺子式ノブにより行う方法か、図５のレバー式トグルクランプ止めなどの方法により行う。
【００１５】
釣行時には、竿ケースや仕掛け、エサ入れなどを身近に備えおく必要があるため充分なスペースが確保できるようエサ・小物置きテーブル（ク）並びに竿ケース置き台フレーム（ケ）を釣り台側面に接続可能な構造とした。
【００１６】
段差部分となるボックスフレームには足置きスペースとして防水型ボックスが設置でき、水面にかなり近づいたり一部ボックスが水中に没しても靴を脱いでのリラックスした釣行が可能である。
【００１７】
使用完了後は、図４(ア)のボックスフレームには各種諸道具類を収納できるボックスを設置できる構造とし、図３のとおり平面板を蓋状に折り畳み閉じて、図１にて携帯運搬する。
【図面の簡単な説明】
【００１８】
【図１】折り畳み携帯用釣り台を示した姿図である。
【図２】釣台の使用時の形態姿図である。
【図３】使用時の形態へ平面台を開く姿図である。
【図４】支脚挿入前の姿図である。
【図５】支脚をトグルクランプの方法により固定する姿図である。
【符号の説明】
【００１９】
ア    ボックスフレーム
イ    平面板
ウ    トグルクランプ  
エ    螺子式連結金具  
オ    連結丁番金具
カ    支脚穴
キ    支脚
ク    エサ・小物置きテーブル
ケ    竿ケース置き台フレーム
【図１】
0003119251.tif 000003
【図２】
0003119251.tif 000004
【図３】
0003119251.tif 000005
【図４】
0003119251.tif 000006
【図５】
0003119251.tif 000007